(57)【要約】【課題】株価等の予め定められた案件の変動を把握し、近未来的にこの案件の動向を予測出来るカレンダーを提供する。【解決手段】月別シート２０の各日付枠欄２１には大文字の日付２２、小文字の日付２３、コメント欄２４及びチャート欄２５が配置されている。株価の予想用に使用する場合は、チャート欄２５に株価の変動を示すチャート４４を、コメント欄２４には特記事項を示すコメント４３を書き込む。このチャート４４とコメント４３によって株の売買のタイミングを予測する。シール５１は過去になった大文字の日付２２上に貼り付け、日めくり的な役割を果たす。【選択図】図２
0003167333.tif 000002
【実用新案登録請求の範囲】
【請求項１】
横軸に曜日順に、縦軸に週順に並べてマトリックス状に日付枠欄を印刷した月別のカレ
ンダーであって、上記日付枠欄を４つの区画に分け、その第一区画には大文字の現在日付
を、第二区画には小文字の過去日付をそれぞれ印刷し、第三区画には予め定められた案件
の動向の特徴を図表として表示するデータチャートを、第四区画には予め定められた案件
の動向の特徴を簡潔に表わすコメントをそれぞれ記入表示できる余白部分を設けた１月か
ら１２月までのシートよりなる月別シートと上記第一区画の現在日付を隠蔽するためのシ
ールとを備え、上記データチャートと上記コメントを参照して予め定められた案件の動向
の近未来的予測を立てやすくしたことを特徴とするカレンダー。
【請求項２】
上記シールは、上記大文字の現在日付のみを隠蔽する大きさを有し、剥離紙に多数貼付
された接着シートよりなることを特徴とする上記請求項１記載のカレンダー。
【請求項３】
上記第一区画の大文字の現在日付は上記日付枠欄の左上に、第二区画の小文字の過去日
付は上記日付枠欄の右上に、上記データチャートを表示する余白部分は上記日付枠欄の右
下に、上記コメントを記入する余白部分は上記日付枠欄の左下にそれぞれ設けたことを特
徴とする請求項１記載のカレンダー。
【請求項４】
複数の上記月別シートを上下または左右に連結するための接続部を上記月別シートに設け
たことを特徴とする請求項１記載のカレンダー。
【考案の詳細な説明】
【技術分野】
【０００１】
本考案は、月別のカレンダーシートの余白に予め定められた案件、例えば、商業、生産
、投資、家計簿、健康管理、スポーツのスコア等の動向を連続的に記録することにより、
この案件の近未来的動向を予見、予測できるカレンダーに関する。
【背景技術】
【０００２】
近時、予定またはメモを記入するための余白を設け、仕事や家庭生活の運用管理を行う
ことができるカレンダー又は手帳が一般化されつつある。
【０００３】
例えば、特開２００５−０５９４６２号公報記載の発明は、１枚の月別表のカレンダー
に縦軸の曜日に合わせて数年分の日付を並列的に記載したもので、曜日又は年間の催事に
よる変動を対比しやすくし、各種スケジュールの立案や管理を容易にすることが出来るよ
うにしたものである。
【０００４】
また、特開平０９−００１９５５号公報記載の発明は、１枚の月別表のカレンダーに日
にち欄、曜日欄、自由書き込み欄を設け、自由書き込み欄に各種の行事予定、出来事、検
診データ等を書き込み、書き込み後の月別シートを保管ファイルホルダーに収納保管する
ことによって、過去のものと比較、参照を容易にすることが出来るようにしたものである
。
【先行技術文献】
【特許文献】
【０００５】
【特許文献１】特開２００５−０５９４６２号公報
【特許文献２】特開平０９−００１９５５号公報
【考案の概要】
【考案が解決しようとする課題】
【０００６】
上記特開２００５−０５９４６２号公報記載の発明は、曜日欄に合わせて１か月分の日
にち欄を数年分並列記載しているので、各年度ごとの対比は容易に出来るものの、各週単
位の比較は出来ない。また、メモ用の予備欄を設けてもよいと記載されているが、この予
備欄は各年度毎に設けられていないので、各年度毎の予備欄の内容、特にデータを比較検
討することは出来ないという欠点がある。
【０００７】
上記特開平０９−００１９５５号公報記載の発明は、各月毎のシートに１か月分の曜日
と日にちが記載されているが、各週毎に対比できるように曜日に合わせて日にちが記載さ
れていないので、各週単位の傾向を把握するために使用するには不便であり、又データを
比較検討することが出来ないという欠点がある。
【０００８】
本考案では、上記の欠点を解消し、予め定められた案件、例えば、商業、生産、投資、
家計簿、健康管理、スポーツのスコア等の週単位の曜日による変動の傾向を把握し、近未
来的にこの案件の動向を予測出来るカレンダーを提供することを目的としている。
【０００９】
本考案では、１か月分の月別シートに過去の月別シートを縦又は横に接続することによ
って、過去のデータと一覧的に比較でき、予め定められた案件、例えば、商業、生産、投
資、家計簿、健康管理、スポーツのスコア等の変動や進捗動向を把握し、直ちに現場決断
や適切な処置を迅速にする事が出来るカレンダーを提供することを目的としている。
【００１０】
本考案では、１か月単位のシート状のカレンダーであるにも係わらず、日めくり的な使
途にも使用出来るカレンダーを提供することを目的としている。
【課題を解決するための手段】
【００１１】
本考案のカレンダーは、横軸に曜日順に、縦軸に週順に並べてマトリックス状に日付枠
欄を印刷した月別のカレンダーであって、上記日付枠欄を４つの区画に分け、その第一区
画には大文字の現在日付を、第二区画には小文字の過去日付をそれぞれ印刷し、第三区画
には予め定められた案件の動向の特徴を図表として表示するデータチャートを、第四区画
には予め定められた案件の動向の特徴を簡潔に表わすコメントをそれぞれ記入表示できる
余白部分を設けた１月から１２月までのシートよりなる月別シートと上記第一区画の現在
日付を隠蔽するためのシールとを備え、上記データチャートと上記コメントを参照して予
め定められた案件の動向の近未来的予測を立てやすくしたことを特徴とする。
【００１２】
上記第一区画の大文字の現在日付は上記日付枠欄の左上に、第二区画の小文字の過去日
付は上記日付枠欄の右上に、上記データチャートを表示する余白部分は上記日付枠欄の右
下に、上記コメントを記入する余白部分は上記日付枠欄の左下にそれぞれ設けられている
。
【００１３】
第一区画の大文字の現在日付と第二区画の小文字の過去日付とは同じ日付が印刷されて
いるが、大文字の現在日付の上に予め添付されているシールを貼ると大文字の現在日付が
消込まれ、日付としては小文字の過去日付のみが表示されるので、シールを貼ることが「
日めくり」したことになる。つまりシールを貼った日付の右が現在進行中の現在日付とな
り、更にその右以降が未来の日付となる。つまり、過去、現在、未来と横一線に並んで表
示されることになる。
【００１４】
上記シールは、上記大文字の現在日付のみを隠蔽する大きさを有し、剥離紙に多数貼付
された接着シートより構成されている。
【００１５】
複数の上記月別シートを上下または左右に連結するための接続部が上記月別シートに設
けられている。
即ち、月別シートの欄外角部近くに左右２か所ずつ、上下２か所ずつに月別シートを吊
り下げまたは接続するための切込み線がそれぞれ２本ずつ設けられ、この切込み線間のス
ペースをそれぞれ合わせて折り曲げ仮止めしておくと上下または左右に一表となり、現在
と長期の過去が一表となって一覧でき、未来の予知、予測が容易にできる。
【００１６】
そして、カレンダーは仮止めすることによって特定の月だけ選んで集めてファイルして
おくことが可能になる。仮止めするには合わせ折してゼムクリップ又はミニクリップで止
めておく、ピン止めしておくなどの方法がある。
【００１７】
この接続部によって、このカレンダーの月別シートを縦方向に接続すれば、数か月分の
過去の月別シートを一望できるように接続できる。また、横方向に接続すれば数年分の同
じ月を対応して一望できるので、その案件、例えば商業における営業成績、仕入れ値の管
理、在庫管理等、生産における工程管理、品質管理、在庫管理等、投資即ち株式、外国為
替、証券等の取引、家計簿の管理、健康即ち血圧、体重や血糖値等、スポーツ即ち野球や
ゴルフなどのスコア等の動向、価格の変化等を大きな広がりの中でとらえることができる
。また、過去の特定の時期を選んで縦または横に接続して比較分析することもできる。
【００１８】
固着しておけば後で何回でも観察できるが、特定のアイテムでいろいろ集合して見れば
新しい発見が生まれることもあるので、当初仮止めした後、固着するのが好ましい。固着
の方法としては、ホチキス止め、接着剤による接着等が用いられる。仮止めする場合の分
類には売上管理のケースでは季節別、催事別、新商品の投入別、競合商品別等を使用すれ
ば、それらの影響等を調べることができる。
【００１９】
例えば、株価チャートとして利用する場合には特定銘柄の株価のグラフや移動平均線等
を記入し、チャート化すれば、売買のタイミングを予測することができる。同様に、外国
為替取り引き、投資等にも利用できる。
【図面の簡単な説明】
【００２０】
【図１】本考案のカレンダーの月別シートを示す正面図。
【図２】本考案の月別シートに株価を書き込んだ実施例の説明図。
【図３】図２の部分拡大図。
【図４】月別シートを横に連結した説明図。
【図５】月別シートを縦に連結した説明図。
【図６】図５の裏面図。
【図７】図６のＡ−Ａ線による断面図。
【図８】月別シートを縦に連結する別の方法を示す説明図。
【図９】図８の要部拡大斜面図。
【図１０】図８のＢ−Ｂ線による断面図。
【図１１】接着シートの正面図。
【考案を実施するための最良の形態】
【００２１】
本考案を実施するための最良の形態を実施例によって説明する。
【実施例１】
【００２２】
図１は、本考案のカレンダー１の月別シート２０を例示するもので、横に月曜から日曜
までの曜日が、縦に第１週から第５週までの日付がマトリックス状に配置されている。各
日付枠欄２１には大文字の日付２２と小文字の日付２３が印刷されている。大文字の日付
２２の下にはコメントを記入するためのコメント欄２４が、小文字の日付２３の下にはチ
ャート等を記入するためのチャート欄２５が配置されている。また、小文字の日付２３と
チャート欄２５の間にデータを記入しても良い。
【００２３】
月別シート２０の上辺および下辺には複数の月別シートを縦に接続するための接続部
３１，３１および３２，３２が２つずつ設けられている。
【００２４】
また、月別シート２０の左右には複数の月別シートを横に接続するための接続部３３
，３３および３４，３４が２つずつ設けられている。この接続部３３，３４は、後述のよ
うに接続方法を変えれば、複数の月別シートを縦に接続するために用いることも出来る。
【００２５】
上下方向の接続部３１、３２には２つの切り込み３５，３５がそれぞれ設けられている
。左右方向の接続部３３，３４には２つの切り込み３６，３６がそれぞれ設けられている
。
【００２６】
図中２６は月別シートの年と月を表示している。２７は集計部で適宜データ（例えば週
毎の平均値等）を記録するための表示欄であるが、場合によってはここに翌月の暦４６を
掲載しても良い。２８はこのカレンダーを生産管理等に使用する場合のプロジェクト名を
記載する欄である。２９は、生産管理等に使用する場合にそのステップを表示するための
欄である。
【００２７】
図２はこのカレンダーを株価の予測に使用した場合の実例を示すものである。各日付枠
欄２１には株価の一日の変動を示すチャート４４とその変動の特徴を表現するコメント４
３が記録されている。なお、４２はチャートの株価を円で表示した基準線である。
【００２８】
図３は日付枠欄２１を拡大表示したもので、５１は大文字の日付けの上に添付されたシ
ールであり、このシールを貼ることにより日めくり的な役割を果たす。シール５１の貼ら
れた日付は過去を表わすが、過去の日付が見えなくなるので、その横の小文字の日付２３
が過去の日付を表示することになる。図２において、シールの貼られていない大文字の日
付２２は本日（２３日）および本日以降の未来の日付を表わす。
【００２９】
図１１は、大文字の日付２２上に貼り付ける多数の接着シール５１を剥離紙５０上に貼
り付けた接着シート５を示す。
【００３０】
図３において、４５はその日の終値を表わす。４６は移動平均値を表わす。移動平均値
には、過去５日、２５日、９０日、２００日等各種あり、この期間の終値の平均値を連続
的にプロットしたものが移動平均線と呼ばれている。ここでは５日線を使用して説明して
いる。４７は株価のその日の動きを表わしたグラフ、４８は移動平均線を表わしている。
４２は株価の基準線でここでは円で表わしている。
【００３１】
図２において、４月１２日と１３日の間で、移動平均線と株価がクロスし、株価が移動
平均線を上廻っている。このような時期は株を買うチャンスである。同様に４月２２日に
は株価が移動平均線を下まっわている。通常は売るチャンスであるが、２２日の終値で又
逆転しそうな勢いをしている。このような場合は、次の日の動向を確認してから判断した
方が良さそうである。
【００３２】
図４は、昨年４月の月別シート１９と本年４月の月別シート２０を接続部３４によって
横に連結した状態を示している。このように横に結合すれば、数年分の動きが一望できて
、マクロ的に動向を把握することが出来る。
【００３３】
図５は、過去のデータ例えば先月の月別シート１８と本月の月別シート２０を接続部３
１によって縦に連結した状態を示している。このように過去のデータと対比して、過去の
実績の特徴を掴むことにより、より正確に案件の今後の動向を予測することが出来るよう
になる。図中３８はシート１８の中央下縁部である。
【００３４】
一般的に年単位の長期予側には横に連結し、月単位の短期予測には縦に連結した方が良
いとされている。過去データには変動要因が隠されている場合があるので、種類別や月別
、年度別に数種のシートを接続してそれを見出すように観察するのが望ましい。
【００３５】
図６は、図５の裏面を表示したもので、月別シート２０の接続部３１と月別シート１８
の接続部３９を直立させ、両者を合わせて、接続することによって、上下のシート１８，
２０を接続することが出来る。図中３７はシート２０の中央上縁部である。図７に接続部
分の断面図が記載されている。接続部３１と３９を合わせて、例えばゼムクリップで仮止
めすれば、着脱自在に接続できる。恒久的に接続したい場合は、ホチキス４１で止めたり
、接着剤で接着すればよい。
【００３６】
図８、図９、図１０は他の接続方法を示す図面である。月別シート１８の下端と月別シ
ート２０の上端を重ねて接続部３３、３４をそれぞれ重ねる。月別シート１８の切り込み
線３６，３６の間のタブ１８１と月別シート２０の切り込み線３６，３６の間のタブ２０
１を重ねて谷折り線１８３に従って前に折り曲げ、月別シート１８の表面まで曲げて折り
込む。月別シート１８、月別シート２０、タブ１８１，タブ２０１全体をクリップ２０２
で挟み込んで仮止めする。この方法は、仮止めであっても上下に引っ張っても簡単に外れ
ない程強固に結合できる利点がある。永久的に止める場合はホチキスで止めたり、接着剤
で接着する。図中１８２はカレンダーを紐でつるす場合に使用する穴である。
【実施例２】
【００３７】
工場における製品の生産管理や工程管理に使用する場合は、図１のプロジェクト欄２８
とステップ欄２９を使用すると便利である。即ち、プロジェクト欄２８には今後予定する
プロジェクトの内容を週毎に表示する。ステップ欄２９には目標とするステップ、例えば
、検討、設計、生産開始、完了予定日等を予め週単位で記入し、実際に実行された実績を
細かくチェックする様に使用すればよい。生産高は予めチャート欄２５に記入しておき、
実績と比較できるようにしても良い。
【産業上の利用可能性】
【００３８】
仕事や健康管理等に使用するカレンダー付手帳としても利用できる。
【符号の説明】
【００３９】
１  カレンダー
２０  月別シート
２１  日付枠欄
２２  大文字の日付
２３  小文字の日付
２４  コメント欄
２５  チャート欄
【図１】
0003167333.tif 000003
【図２】
0003167333.tif 000004
【図３】
0003167333.tif 000005
【図４】
0003167333.tif 000006
【図５】
0003167333.tif 000007
【図６】
0003167333.tif 000008
【図７】
0003167333.tif 000009
【図８】
0003167333.tif 000010
【図９】
0003167333.tif 000011
【図１０】
0003167333.tif 000012
【図１１】
0003167333.tif 000013